(57)【特許請求の範囲】
【請求項１】
複数の音声出力機器を接続可能な出力端子と、
自装置および前記出力端子に接続されている前記複数の音声出力機器が再生可能な音声信号のチャネル数をそれぞれ示す複数の再生能力情報を記憶する記憶手段と、
前記複数の再生能力情報のうち、前記チャネル数が最も少ない前記音声出力機器の前記再生能力情報を除く一の再生能力情報をソース機器へ提供する提供手段と、
前記ソース機器から供給された音声信号を、前記一の再生能力情報よりも少ないチャネル数に応じてダウンミックスする音声信号処理手段と、
前記ソース機器から供給された音声信号のチャネル数より再生可能なチャネル数が少ない前記音声出力機器に対しては、前記音声信号処理手段によりダウンミックスされた音声信号を出力する第１の出力手段と、
前記ソース機器から供給された音声信号のチャネル数以上のチャネル数の前記音声出力機器に対しては、前記ソース機器から供給された音声信号を前記第１の出力手段による出力と同時に出力する第２の出力手段と
を備えることを特徴とするオーディオ機器。
【請求項２】
前記出力端子には、自装置において再生した前記音声信号を出力する一の音声出力機器と、前記音声信号を再生して出力する他の音声出力機器が接続されており、
前記他の音声出力機器から当該音声出力機器の前記再生能力情報を取得する取得手段を備え、
前記提供手段は、前記取得手段により取得された前記再生能力情報及び前記一の音声出力機器の前記再生能力情報のうち、チャネル数が最大である前記再生能力情報を提供する
ことを特徴とする請求項１記載のオーディオ機器。
【請求項３】
前記音声信号処理手段は、ダウンミックスした前記音声信号の音量に応じてダイナミックレンジ圧縮を行い、当該音声信号の音量を制御する
ことを特徴とする請求項１又は２記載のオーディオ機器。
【請求項４】
前記音声信号処理手段は、前記音声信号に対し、予め設定されたチャネル数に応じて設定された頭部伝達関数を用いて畳み込み処理を施してから、前記ダウンミックスの処理を
行った音声信号を生成して出力する
ことを特徴とする請求項１〜３のいずれか一項に記載のオーディオ機器。
【発明の詳細な説明】
【技術分野】
【０００１】
本発明は、オーディオ機器に関する。
【背景技術】
【０００２】
図６に示すようなＡＶシステムが従来から利用されている。このＡＶ(Audio Visual)システムは、ＤＶＤプレーヤ等のソース機器５０とＡＶアンプ６０とがＨＤＭＩ(High-Definition Multimedia Interface)の接続ケーブル７１で接続され、ＡＶアンプ６０とテレビ受像機８０ (以下、ＴＶと言う)がＨＤＭＩの接続ケーブル７２で接続され、ＡＶアンプ６０とスピーカ９０がアナログ音声信号を出力する接続ケーブル７３で接続されて構成されている。
ソース機器５０と、シンク機器であるＡＶアンプ６０及びＴＶ８０が接続された際、ソース機器５０とシンク機器との間において、ＥＤＩＤ（Extended Display Identification Data）と呼ばれるシンク機器の再生能力情報を含む機器情報を接続時にやりとりすることにより、ソース機器とシンク機器の機器間の認証が行われる。そして、ＨＤＭＩ規格においては、ソース機器５０からシンク機器に対してオーディオデータを送る際、シンク機器のうち音声の再生能力が最も低い機器に合わせてオーディオデータが送られる。即ち、この例の場合には、ＡＶアンプ６０とＴＶ８０のうち、チャネル数が最も低いＴＶ８０の再生能力に応じたオーディオデータがＡＶアンプ６０に送られる。従って、図６のＡＶシステムの場合には、ＡＶアンプ６０の音声の再生能力は５．１ｃｈであっても、ＴＶ８０の音声の再生能力が２ｃｈであれば、５．１ｃｈ音源ソースであってもソース機器側でダウンミックス処理されるなどして２ｃｈに対応するオーディオデータがＡＶアンプ６０に送られる。
下記特許文献１には、図６に示すＡＶシステムにおいて、ＴＶ８０が音声を出力する状態でなければ、ＡＶアンプ６０の音声再生能力を示すＥＤＩＤを送り、ＴＶ８０が音声を出力する状態であれば、ＴＶ８０の音声再生能力を示すＥＤＩＤを送ることにより、ソース機器５０からＴＶ８０及びＡＶアンプ６０のチャネル数に応じたオーディオデータを受取る技術が開示されている。
【先行技術文献】
【特許文献】
【０００３】
【特許文献１】特開２００８−３０１４５４号公報
【発明の概要】
【発明が解決しようとする課題】
【０００４】
ＴＶ８０とスピーカ９０のいずれか一方に音声を出力する場合には、上記特許文献１の手法により、それぞれの音声出力機器に応じたオーディオ信号がソース機器から送られるので問題となることはなかった。しかしながら、例えば、ＴＶ８０とスピーカ９０が別々の部屋に設置され、ＴＶ８０とスピーカ９０で同じオーディオデータを同時に視聴したい場合には、ＡＶアンプ６０の音声再生可能チャネル数以下のオーディオ信号が送られてしまうので、ＡＶアンプ６０の音声処理機能を最大限に利用することはできなかった。従ってＴＶ８０及びＡＶアンプ６０の音声の再生能力に応じた音声が各々に出力されることが要求される。
本発明は、ソース機器から入力されたオーディオデータを、ＡＶアンプ等のオーディオ機器と接続された音声出力機器毎の音声再生能力(チャネル数)に適した音声信号として各音声出力機器に出力し得るオーディオ機器を提供することを目的とする。
【課題を解決するための手段】
【０００５】
本発明に係るオーディオ機器は、複数の音声出力機器を接続可能な出力端子と、自装置および前記出力端子に接続されている前記複数の音声出力機器が再生可能な音声信号のチャネル数をそれぞれ示す複数の再生能力情報を記憶する記憶手段と、前記複数の再生能力情報のうち、前記チャネル数が最も少ない前記音声出力機器の前記再生能力情報を除く一の再生能力情報をソース機器へ提供する提供手段と、前記ソース機器から供給された音声信号を、前記一の再生能力情報よりも少ないチャネル数に応じてダウンミックスする音声信号処理手段と、前記ソース機器から供給された音声信号のチャネル数より再生可能なチャネル数が少ない前記音声出力機器に対しては、前記音声信号処理手段によりダウンミックスされた音声信号を出力する第１の出力手段と、前記ソース機器から供給された音声信号のチャネル数以上のチャネル数の前記音声出力機器に対しては、前記ソース機器から供給された音声信号を前記第１の出力手段による出力と同時に出力する第２の出力手段とを備えることを特徴とする。
【発明の効果】
【０００６】
本発明によれば、再生能力が異なる複数の音声出力機器がソース機器に接続された場合でも、音声出力機器の最も低い再生能力に他の音声出力機器が合わせることなく各音声出力機器の再生能力に適した音声を出力することができる。
【０００７】
また、前記出力端子には、自装置において再生した前記音声信号を出力する一の音声出力機器と、前記音声信号を再生して出力する他の音声出力機器が接続されており、前記他の音声出力機器から当該音声出力機器の前記再生能力情報を取得する取得手段を備え、前記提供手段は、前記取得手段により取得された前記再生能力情報及び前記一の音声出力機器の前記再生能力情報のうち、チャネル数が最大である前記再生能力情報を提供することとしてもよい。この構成によれば、オーディオ機器に接続された音声機器の中で再生可能な最大チャネル数を示す再生能力情報をソース機器に提供することができ、オーディオ機器に接続された全音声機器の再生能力を損なわず、また、他の音声出力機器の再生能力に応じた音声を出力することができる。
【０００８】
また、前記オーディオ機器の構成において、前記音声信号処理手段は、ダウンミックスした前記音声信号の音量に応じてダイナミックレンジ圧縮を行い、当該音声信号の音量を制御することとしてもよい。この構成によれば、ダウンミックスされたオーディオ信号の音量レベルに応じてダイナミックレンジ圧縮を行うことができるので適正な音量レベルのオーディオ信号を出力することができる。
【０００９】
また、前記オーディオ機器の構成において、前記音声信号処理手段は、前記音声信号に対し、予め設定されたチャネル数に応じて設定された頭部伝達関数を用いて畳み込み処理を施してから、前記ダウンミックスの処理を行った音声信号を生成して出力することとしてもよい。この構成によれば、再生能力が低い音声出力機器に対してバーチャルサラウンド効果を付与したオーディオ信号を出力することができる。
【図面の簡単な説明】
【００１０】
【図１】実施形態のＡＶシステムの構成例を示す図である。
【図２】実施形態におけるＡＶアンプのブロック図である。
【図３】(ａ)は、実施形態におけるＥＤＩＤの例を示す図である。(ｂ)は、実施形態における出力設定情報のデータ例を示す図である。(ｃ)は、実施形態における出力機器情報のデータ例を示す図である。
【図４】実施形態におけるコンテンツ再生前処理を示す動作フロー図である。
【図５】実施形態におけるコンテンツ再生処理を示す動作フロー図である。
【図６】従来技術を説明するための図である。
【発明を実施するための形態】
【００１１】
以下、図面を参照して本発明の実施形態に係るオーディオ機器について説明する。
＜実施形態＞
＜システム構成＞
図１は、本実施形態のＡＶシステムの構成例を示している。図１の破線で示す矩形２及び矩形４は、ＡＶシステム１が設置されているリビングとキッチンの各部屋を示している。同図に示すように、リビング２には、ＤＶＤプレーヤ等のソース機器２０と、本実施形態のオーディオ機器であるＡＶアンプ２２の双方に設けられたＨＤＭＩ端子(図示省略)にＨＤＭＩ接続ケーブル２１を接続することにより、ソース機器２０とＡＶアンプ２２が接続されている。ソース機器２０は、映像や音声が記録されたＤＶＤ等のディスクをソース機器２０内に保持し、ユーザにより指定されたコンテンツデータをディスクから読み出し、ＨＤＭＩ接続ケーブル２１を介してＡＶアンプ２２へ出力する。
【００１２】
ＡＶアンプ２２は、ソース機器２０から出力されるコンテンツデータを出力するための２つのＨＤＭＩ端子(図示省略)を有しており、一方のＨＤＭＩ端子と接続されたＨＤＭＩ接続ケーブル２３ａはキッチン４に配線され、ＨＤＭＩ接続ケーブル２３ａにはテレビ受像機(以下、ＴＶと言う)(１)４０が接続されている。
また、ＡＶアンプ２２の他方のＨＤＭＩ端子(図示省略)と接続されたＨＤＭＩ接続ケーブル２３ｂはリビング２に配線され、ＨＤＭＩ接続ケーブル２３ｂにはＴＶ(２)２６が接続されている。更に、ＡＶアンプ２２は、５．１ｃｈのスピーカ接続用端子(図示省略)を有し、これらの各端子と接続されたアナログ音声接続ケーブル２５はリビング２に配線され、アナログ音声接続ケーブル２５には５．１ｃｈのスピーカ２４が接続されている。
【００１３】
なお、本実施形態では、ＡＶアンプ２２には、ＨＤＭＩ接続ケーブル２３ａ及び２３ｂが接続された２系統のＨＤＭＩ端子が設けられ、アナログ音声接続ケーブル２５が接続された１系統の複数のアナログ音声出力端子が設けられている例について説明するが、ＨＤＭＩ端子は１つでもよいし、また３つ以上設けられていてもよく、アナログ音声出力端子についても、２系統以上の複数のアナログ音声出力端子が設けられてもよい。また、本実施形態では５．１ｃｈのスピーカ接続用端子が設けられている例であるが、７．１ｃｈのスピーカ接続用端子が設けられていてもよい。
【００１４】
このように、リビング２にはスピーカ２４とＴＶ(２)２６が設置され、キッチン４にはＴＶ(１)が設置されて構成されている場合において、リビング２とキッチン４の両方の部屋で同一のコンテンツを同時に視聴するとき、本実施形態では、リビング２においては、そのコンテンツの音声を５．１ｃｈのスピーカ２４から出力し、該コンテンツの映像をＴＶ(２)２６から出力する。また、キッチン４では、当該コンテンツの映像をＴＶ(１)４０から出力すると共に、当該コンテンツの音声をＴＶ(１)４０に内蔵されているＬ(左)・Ｒ(右)の２ｃｈのスピーカから出力する例について以下説明する。
【００１５】
＜ＡＶアンプ２２の構成＞
以下、本実施形態におけるＡＶアンプ２２の構成について説明する。図２は、本実施形態に係るＡＶアンプ２２のブロック図である。図２に示すように、ＡＶアンプ２２は、ＨＤＭＩ入力部２２１、映像音声信号処理部２２２、Ｄ／Ａ変換部２２２ａ、アンプ２２２ｂ、ＨＤＭＩ第１出力部２２３、ＨＤＭＩ第２出力部２２４、記憶部２２５、操作部２２６、表示部２２７、及び制御部２２８を含んで構成されている。
ＨＤＭＩ入力部２２１は、ソース機器２０に接続されたＨＤＭＩ接続ケーブル２１を接続するＨＤＭＩ端子を有し、ソース機器２０から映像及び音声を含むデジタルコンテンツデータを受付ける機能と、ソース機器２０と接続された際に、制御部２２８の制御の下、音声出力に関する再生能力情報(以下、音声再生能力情報と言う)と、映像出力に関する再生能力情報(以下、映像再生能力情報と言う)を含むＥＤＩＤをソース機器２０に提供する機能を有する。また、ＨＤＭＩ入力部２２１は、ソース機器２０から受付けたデジタルコンテンツデータから映像データと音声データを抽出し、映像データと音声データとを映像音声信号処理部２２２へ出力する機能を有する。なお、音声再生能力情報には、音声出力のチャネル数を示す情報が少なくとも含まれ、映像再生能力情報には、解像度や入力信号の種類等の情報が含まれている。
【００１６】
映像音声信号処理部２２２は、音声処理用ＤＳＰ（Digital Signal Processor）を含んで構成されており、ＨＤＭＩ入力部２２１から入力された映像データをＨＤＭＩ第１出力部２２３及びＨＤＭＩ第２出力部２２４へ出力すると共に、アナログ音声接続ケーブル２５により接続されているスピーカ２４、ＨＤＭＩ第１出力部２２３及びＨＤＭＩ第２出力部２２４に接続されたＴＶ(１)４０及びＴＶ(２)２６のうち、音声を出力する対象機器としてユーザによって設定されている機器のチャネル数に応じた音声信号を生成する。なお、本実施形態では、映像音声信号処理部２２２は、音声処理用ＤＳＰを含んで構成されている例について説明するが、音声処理用ＤＳＰの代わりにアナログのダウンミックス回路を含んで構成してもよい。
【００１７】
映像音声信号処理部２２２は、上記音声信号の生成を以下のようにして行う。映像音声信号処理部２２２は、ＨＤＭＩ入力部２２１から入力されたデジタル音声データに対し、音声データの符号化形式に応じたデコード処理を行う。また、ＨＤＭＩ入力部２２１から入力されたデジタル音声データのチャネル数が各機器の再生可能なチャネル数より多い場合に、当該機器のチャネル数に応じて、予めＡＶアンプ２２に記憶されているダウンミックス係数を用い、デコードされた音声データに対してダウンミックス処理を行う。なお、本実施形態では、マルチチャネルから２ｃｈにダウンミックスするためのダウンミックス係数が予め記憶部２２５に記憶されているものとして説明を行うが、ソース機器２０から入力されたコンテンツデータに２ｃｈにダウンミックスするためのダウンミックス係数が含まれていてもよい。
ＴＶ(１)４０に対して音声データを出力する場合には、入力された音声データをＴＶ(１)４０が再生できる信号へ変換すると共にＴＶ(１)４０が再生可能なチャンネル数へダウンミックスする処理を行い、ダウンミックスした音声データをＨＤＭＩ第１出力部２２３へ出力する。なお、本実施形態では、スピーカ２４から音声を出力し、ＴＶ(２)２６からは音声出力を行わないため、ＨＤＭＩ第２出力部２２４へは音声データを出力しないように制御する。
【００１８】
次に、Ｄ／Ａ変換部２２２ａは、映像音声信号処理部２２２においてデコードされた音声データをＤ／Ａ変換した音声信号をアンプ２２２ｂへ出力する機能を有し、アンプ２２２ｂは、Ｄ／Ａ変換部２２２ａから出力された音声信号に対して予め設定された増幅処理を行い、増幅された音声信号をスピーカ２４の各々に対する出力する機能を有する。
【００１９】
ＨＤＭＩ第１出力部２２３は、ＨＤＭＩ接続ケーブル２３ａを接続するＨＤＭＩ端子を有し、ＨＤＭＩ第２出力部２２４は、ＨＤＭＩ接続ケーブル２３ｂを接続するＨＤＭＩ端子を有する。ＨＤＭＩ第１出力部２２３及びＨＤＭＩ第２出力部２２４(以下、特に区別しない場合には「ＨＤＭＩ出力部」と言う)は、ＨＤＭＩ接続ケーブル２３ａ及び２３ｂにＴＶ(１)４０及びＴＶ(２)２６が接続された際、ＤＤＣ(Display  Data  Chanel)等に基づくプラグアンドプレイ機能によりＴＶ(１)４０及びＴＶ(２)２６のＥＤＩＤを各ＴＶから取得する機能を有する。
また、ＨＤＭＩ出力部は、映像音声信号処理部２２２から入力されたコンテンツの映像データと音声データを受付け、ユーザ操作により映像を出力する対象機器として予め設定されたＴＶに対して映像データを出力し、音声を出力する対象機器として予め設定されたＴＶに対して音声データを出力する機能を有する。なお、映像及び音声の出力対象機器としてユーザ操作によって設定された情報は、後述する記憶部２２５に記憶されている。
【００２０】
記憶部２２５は、不揮発性又は揮発性の記憶媒体で構成され、予め設定されている記憶領域２２５ａ(以下、ＥＤＩＤ記憶領域と言う)には、ソース機器２０へ提供する再生能力情報が記憶されており、本実施形態では、図３(ａ)に示すように、音声再生能力情報としてＡＶアンプ２２が有する最大チャネル数５．１ｃｈと、映像再生能力情報としてＴＶ(１)４０の映像再生能力情報などを含むＥＤＩＤが記憶されている。本実施形態では、ＥＤＩＤ記憶領域２２５ａに記憶された再生能力情報のうち、音声再生能力情報、即ち、ＡＶアンプ２２のチャネル数を書き換えることなく固定的に記憶しておく。映像再生能力情報は、接続されるＴＶのＥＤＩＤに応じて、例えば解像度が最も低い映像再生能力情報を有するＴＶの映像再生能力情報に書き換えるようにすればよい。
【００２１】
また、記憶部２２５のＥＤＩＤ記憶領域２２５ａ以外の所定領域には、図３(ｂ)に示すように、ＡＶアンプ２２に接続された出力機器毎に、映像や音声を出力する対象機器であるか否かを示す出力設定情報１１０が記憶されている。この出力設定情報１１０はユーザ操作により設定される情報である。図３(ｂ)の例では、ＴＶ(１)４０とスピーカ２４が音声を出力する対象機器であることを示すフラグ「１」が設定され、ＴＶ(１)４０とＴＶ(２)２６が映像を出力する対象機器であること示すフラグ「１」が設定されている。なお、複数の機器で同時に音声や映像を出力しない場合には、ＴＶ(１)４０、スピーカ２４、ＴＶ(２)２６のいずれか一つの機器に対して音声及び映像の出力を行うよう設定することも可能である。
【００２２】
また、記憶部２２５の所定領域には、図３(ｃ)に示すように、ＡＶアンプ２２とＨＤＭＩ接続ケーブル２３ａ及び２３ｂにより接続された出力機器(ＴＶ(１)４０及びＴＶ(２)２６)と、各出力機器の再生能力情報(ＥＤＩＤ)が記憶されている。図３(ｃ)の例では、出力機器情報１２０には、ＴＶ(１)４０とＴＶ(２)２６毎のＥＤＩＤに含まれる音声及び映像の再生能力情報が対応づけられている。この出力機器情報１２０は、ソース機器２０から入力されたコンテンツデータを再生する際、映像音声信号処理部２２２により参照され、各再生能力情報に応じた音声データが生成される。
【００２３】
図２に戻り、操作部２２６の説明を続ける。操作部２２６は、各種操作スイッチを備え、ユーザによる各種操作スイッチの操作を受付けて後述の制御部２２８へ操作内容を示す情報を送出する機能を有する。また、各種操作スイッチの操作に対応する予め設定されたコマンドを赤外線通信等の通信手段により外部のリモートコントロール装置(図示省略)から受信し、受信したコマンドを制御部２２８へ送出する機能を有する。表示部２２７は、ＬＥＤパネルや液晶パネルなどの表示パネルを備え、制御部２２８の制御の下、画像等の表示を行う。
【００２４】
制御部２２８は、ＣＰＵ(Central  Processing  Unit)と、ＲＯＭ(Read  Only  Memory)及びＲＡＭ(Random  Access  Memory)のメモリを含んで構成されており、ＲＯＭに記憶された制御プログラムを、ＲＡＭをワーキングエリアとして実行することにより、上述した各部を制御し、出力設定情報１１０に基づき、音声を出力する対象機器として設定されているＡＶアンプ２２に接続された各出力機器のチャネル数と、ソース機器２０から入力されたデジタル音声データのチャネル数に応じて、入力された音声データの音声信号を出力機器に出力する処理と、入力された音声データのチャネル数を出力機器のチャネル数にダウンミックスした音声データを生成して出力する処理とを行う。なお、記憶部２２５もしくはＥＤＩＤがＣＰＵ上で記憶される場合もある。
【００２５】
＜ソース機器２０の構成＞
ソース機器２０は、上述したように、ＤＶＤディスクやＢＤ(Blu-Ray  Disk)等のプレーヤやレコーダ、セットトップボックス等で構成されており、ＨＤＭＩ接続ケーブル２１によりＡＶアンプ２２と接続されている。ソース機器２０は、ユーザ操作に応じて、ディスクに記憶されている映像や音声を含むコンテンツデータを読み出し、ＡＶアンプ２２が提供するＥＤＩＤを読み出し、読み出したＥＤＩＤで示される再生能力情報に対応するコンテンツデータをＡＶアンプ２２に出力する機能を有する。１つのコンテンツデータには、ＤＴＳ(Digital  Theater  System)(登録商標)、Ｄｏｌｂｙ  ＡＣ３(登録商標)、２ｃｈリニアＰＣＭなどの複数の異なる符号化形式の音声データが記憶されている。例えば、２ｃｈを示す音声再生能力情報を含むＥＤＩＤがＡＶアンプ２２に記憶されている場合には、ソース機器２０は、２ｃｈリニアＰＣＭに対応したデジタル音声データをＡＶアンプ２２へ出力し、５．１ｃｈを示す音声再生能力情報を含むＥＤＩＤが記憶されている場合には、５．１ｃｈに対応したデジタル音声データをＡＶアンプ２２へ出力する。
【００２６】
ソース機器２０は、読み出したコンテンツデータをＡＶアンプ２２に出力する際、コンテンツの映像データと音声データ、及び制御データをＨＤＭＩ規格に従ってパケット化し、パケット化されたコンテンツデータをストリーム化してＡＶアンプ２２へ出力する。各パケットにはパケット内の音声データの符号化形式を示す情報などのパケットに関する情報と映像データや音声データの実データが含まれる。なお、本実施形態では、ソース機器２０は音声データをＨＤＭＩ規格に対応したフォーマットで出力するが、Ａｎａｌｏｇ  ＡｕｄｉｏやＳＰＤＩＦ規格に応じたフォーマットでＡＶアンプ２２へ出力し、ＡＶアンプ２２がその音声データをＨＤＭＩ端子に接続された各機器に出力してもよい。
【００２７】
＜動作＞
以下、本実施形態におけるＡＶシステム１のコンテンツ再生処理の動作について、ＡＶアンプ２２の動作を中心に説明する。なお、コンテンツ再生処理の動作説明の前に、コンテンツ再生前処理について図４を用いて説明する。
ユーザ操作によって、ＴＶ(１)４０とＴＶ(２)２６がＨＤＭＩ接続ケーブル２３ａと２３ｂに各々接続された際、ＡＶアンプ２２の制御部２２８は、ＨＤＭＩ第１出力部２２３及びＨＤＭＩ第２出力部２２４を介し、ＴＶ(１)４０とＴＶ(２)２６から各ＴＶのＥＤＩＤを取得し、ＥＤＩＤに含まれる音声再生能力情報と映像再生能力情報を出力機器情報１２０として記憶部２２５の所定領域に記憶する(ステップＳ１１)。そして、制御部２２８は、記憶部２２５のＥＤＩＤ記憶領域２２５ａに、ＡＶアンプ２２が有するチャネル数５．１ｃｈを示す音声再生能力情報を書き込み、ＴＶ(１)４０の映像再生能力情報を書き込む(ステップＳ１２)。
また、ユーザ操作により、操作部２２６を介して、ＴＶ(１)４０とスピーカ２４に音声の出力を行う設定がなされ、ＴＶ(１)４０及びＴＶ(２)２６に映像及び音声の出力を行う設定がなされると、制御部２２８は、ユーザによって設定された設定内容を出力設定情報１１０として記憶部２２５の所定領域に記憶する(ステップＳ１３)。
そして、ユーザ操作により、ＡＶアンプ２２がソース機器２０と接続された際、ＡＶアンプ２２における記憶部２２５のＥＤＩＤ記憶領域２２５ａから音声及び映像の再生能力情報を含むＥＤＩＤがＨＤＭＩ入力部２２１を介してソース機器２０に読み出され、ソース機器２０に音声及び映像の再生能力情報を含むＥＤＩＤが入力される (ステップＳ１４)。
以上が、コンテンツ再生前処理の動作である。以下、ＡＶシステム１のコンテンツ再生処理を図５の動作フロー図を用いて説明する。
【００２８】
ソース機器２０は、ユーザ操作により、コンテンツの再生指示を受付けると(ステップＳ１１０：ＹＥＳ)、ＡＶアンプ２２から提供されたＥＤＩＤに基づき、各再生能力情報に応じたコンテンツデータをディスクから読み出し、読み出したコンテンツデータをパケット化し、ＨＤＭＩ接続ケーブル２１を介してＡＶアンプ２２へストリーム伝送する(ステップＳ１２０)。
【００２９】
ＡＶアンプ２２の制御部２２８は、ソース機器２０からストリーム伝送されたコンテンツデータのパケットをＨＤＭＩ入力部２２１により受付け(ステップＳ２１０)、コンテンツデータのパケットからパケット情報と音声データ及び映像データがＨＤＭＩ入力部２２１において抽出され、パケット情報と音声データと映像データとが映像音声信号処理部２２２へ入力される。映像音声信号処理部２２２は、ＨＤＭＩ入力部２２１から入力された映像データをＨＤＭＩ第１出力部２２３及びＨＤＭＩ第２出力部２２４へ出力する(ステップＳ２２０)。
【００３０】
制御部２２８は、記憶部２２５の所定領域から出力設定情報１１０を読み出し、音声出力設定が「１」である各出力機器に対応する音声信号を生成する音声信号処理を、映像音声信号処理部２２２にてＨＤＭＩ入力部２２１により入力された音声データに対して行う(ステップＳ２３０)。
【００３１】
本実施形態では、出力設定情報１１０において、ＴＶ(１)４０とスピーカ２４は音声の出力対象機器として設定されており(ステップＳ２３０：スピーカ又はスピーカ＋ＴＶ(１))、ステップＳ２２０においてＨＤＭＩ入力部２２１により入力された音声データは、ＡＶアンプ２２が備えるチャネル数５．１ｃｈに対応した音声データである。
この場合、映像音声信号処理部２２２は、ＨＤＭＩ入力部２２１により入力されたパケット情報に基づき、音声データに対しデコード処理を行ってＤ／Ａ変換部２２２ａに出力する。そして、デコード処理された音声データをＤ／Ａ変換部２２２ａにおいてＤ／Ａ変換してアンプ２２２ｂへ出力し、アンプ２２２ｂにて所定の増幅処理を行った５．１ｃｈの各音声信号をスピーカ２４に出力する(ステップＳ２４０)。また、ＨＤＭＩ第２出力部２２４は、記憶部２２５の所定領域に記憶されている出力設定情報１１０を参照し、ＴＶ（２）２６の音声出力は「０（音声出力なし）」のため、映像の出力対象機器として設定されているＴＶ(２)２６に対し、映像音声信号処理部２２２から入力された映像データのみを出力する(ステップＳ２５０)。
【００３２】
また、同時に、映像音声信号処理部２２２は、ＴＶ(１)４０が音声出力対象機器として設定されているので(ステップＳ２６０：ＹＥＳ)、出力機器情報１２０におけるＴＶ(１)４０の音声の再生能力情報(２ｃｈ)を参照し、５．１ｃｈから２ｃｈにダウンミックスするための所定のダウンミックス係数を記憶部２２５から読み出す。そして、ＨＤＭＩ入力部２２１により入力された５．１ｃｈに対応する音声データを２ｃｈ(Ｌ・Ｒ)の音声データにダウンミックスし、２ｃｈの音声データをＴＶ(1)が再生可能な符号化形式で生成してＨＤＭＩ第１出力部２２３へ出力する(ステップＳ２７０)。
【００３３】
そして、ＨＤＭＩ第１出力部２２３は、映像音声信号処理部２２２から入力された音声データと映像データとをＴＶ(１)４０に出力し、ＴＶ(１)４０から音声信号及び映像信号が出力される(ステップＳ２８０)。
従ってＡＶアンプ２２に接続された他の音声出力機器にかかわらず、ＥＤＩＤの音声再生能力情報としてＡＶアンプ２２の再生能力情報をＥＤＩＤ記憶領域２２５ａに固定して記憶させておくので、ソース機器２０は常にＡＶアンプ２２の音声再生能力に応じた音声信号を出力することが可能になる。これにより、リビング２に設置されたスピーカ２４からは５．１ｃｈの音声信号が出力され、キッチン４に設置されたＴＶ（２）２６からは、ＡＶアンプ２２自身の音声処理機能を利用して５．１ｃｈの音声データをダウンミックスさせた２ｃｈの音声信号が出力されるので、ＡＶアンプ２２が有する音声再生能力を損なうことなくコンテンツの音声を出力することができる。
【００３４】
なお、ステップＳ２３０において、ＡＶアンプ２２に接続されたスピーカ２４だけが音声の出力対象機器として出力設定情報１１０に設定されている場合には(ステップＳ２３０：スピーカ又はスピーカ＋ＴＶ(１)、ステップＳ２６０：ＮＯ)、映像音声信号処理部２２２は、上述したステップＳ２４０及びＳ２５０の処理を行い、５．１ｃｈの各音声信号がスピーカ２４から出力され、ＴＶ(２)２６から映像信号が出力される。
【００３５】
また、ステップＳ２３０において、ＴＶ(１)４０だけが音声及び映像の出力対象機器として出力設定情報１１０に設定されている場合には(ステップＳ２３０：ＴＶ(１))、映像音声信号処理部２２２は、上述したステップＳ２７０及びＳ２８０と同様の処理を行い、５．１ｃｈに対応した音声データを２ｃｈにダウンミックスした音声データをＴＶ(１)４０に出力し、ＴＶ(１)４０から２ｃｈの音声データに基づく音声信号と映像信号が出力される。
なお、ソース機器２０は、ディスク内のコンテンツデータを全て読み出して伝送した場合には(ステップＳ１３０：ＹＥＳ)、ＡＶアンプ２２へのコンテンツデータのストリーム伝送を終了し、ステップＳ１１０において、コンテンツの再生指示を受付けなければ(ステップＳ１１０：ＮＯ)、コンテンツデータのストリーム伝送処理を行わずに終了する。
【００３６】
＜変形例＞
以下、本発明の変形例について説明する。
（１）上述した実施形態では、音声再生能力情報としてＡＶアンプ２２のチャネル数を含むＥＤＩＤをソース機器２０へ提供する例であったが、ＡＶアンプ２２と接続された出力機器の音声再生能力情報のうち、チャネル数が最も低い再生能力情報を除く任意の再生能力情報をソース機器２０へ提供し、ソース機器２０からその再生能力情報に応じた音声データを受付け、各出力機器の再生能力に応じた音声信号を当該出力機器へ出力するようにしてもよい。
例えば、ＡＶアンプ２２に７．１ｃｈのスピーカ２４が接続され、ＨＤＭＩ端子に接続された他の出力機器のチャネル数が５．１ｃｈ、３．１ｃｈ、２ｃｈであるとき、ＡＶアンプ２２のＨＤＭＩ入力部２２１は、再生能力が最も低い２ｃｈを除くチャネル数(３．１ｃｈ、５．１ｃｈ、７．１ｃｈのいずれか)の音声再生能力情報をソース機器２０に提供する。
なお、この場合、ソース機器２０へ提供された再生能力情報より再生能力が低い出力機器に対してソース機器２０からの音声データを出力する場合は、実施形態と同様、各出力機器が再生可能なチャネル数の音声データにダウンミックスして出力する。また、この場合とは逆に、ソース機器２０へ提供された再生能力情報より再生能力が高い出力機器にソース機器２０からの音声データを出力する場合には、映像音声信号処理部２２２において、例えば、２ｃｈから５．１ｃｈの音声データを生成するプロロジックや、２ｃｈから６．１ｃｈの音声データを生成するＮＥＯ：６（登録商標）、７．１ｃｈの音声データを生成するドルビープロロジック２ｘ（登録商標）などのマトリクス処理機能を予め設けておく。そして、映像音声信号処理２２２は、マトリクス処理機能により、ソース機器２０から受付けた音声データのＬとＲの２ｃｈの音声データを用いてマトリクス処理を施し、各出力機器のチャネル数に対応する音声データを生成して出力するようにしてもよい。
【００３７】
（２）上述した実施形態では、ＡＶアンプ２２のアナログ音声出力端子に接続可能なチャネル数よりＨＤＭＩ端子に接続された出力機器のチャネル数の方が少ない場合の例であったが、ＡＶアンプ２２より多いチャネル数の再生能力情報を有する出力機器がＨＤＭＩ端子に接続された場合、当該出力機器の再生能力情報をソース機器２０に提供してもよい。例えば、ＡＶアンプ２２のチャネル数が５．１ｃｈであり、ＨＤＭＩ出力機器のチャネル数が７．１ｃｈの場合、制御部２２８は、７．１ｃｈを示す音声再生能力情報をソース機器２０に提供し、ソース機器２０から７．１ｃｈに対応する音声データを受付ける。ＡＶアンプ２２の映像音声信号処理部２２２は、ＨＤＭＩ入力部２２１を介してソース機器２０から入力された７．１ｃｈの音声データを５．１ｃｈにダウンミックスしてＡＶアンプ２２に接続されているスピーカ２４に対して出力し、７．１ｃｈの音声データをデコードして出力機器に出力するようにしてもよい。
【００３８】
（３）上述した実施形態では、ＴＶ(１)４０に音声信号を出力する際、ＴＶ(１)４０の音声の再生能力情報に対応するように、ソース機器２０から入力された５．１ｃｈの音声データを２ｃｈにダウンミックスした音声信号を出力する例について説明したが、映像音声信号処理部２２２にダイナミックレンジ圧縮手段を設け、ダウンミックスされた各チャネルの音声データの最大音量レベルと最小音量レベルに応じてダイナミックレンジ圧縮処理を行い、音量レベルを制御するようにしてもよい。
また、映像音声信号処理部２２２において、ＨＤＭＩ第１出力部２２３もしくはＨＤＭＩ第２出力部２２４に出力する音声信号に対してダイナミックレンジ圧縮処理や周波数特性の補正などを行うようにしてもよい。
【００３９】
（４）上述した実施形態では、ソース機器２０からＡＶアンプ２２に入力された５．１ｃｈのデジタル音声データを、ＴＶ(１)４０の再生能力情報(２ｃｈ)に従ってダウンミックスし、ＴＶ(１)４０に出力する例であったが、バーチャルサラウンド効果を付与するため、ソース機器２０からの音声データに対して、予め設定されたチャネル数に応じて定められたＨＲＴＦ（頭部伝達関数）を用いて畳み込む処理を行ってからダウンミックス処理を行った音声信号を出力するようにしてもよい。これにより、２ｃｈにダウンミックスされた音声データでも、５．１ｃｈ等の仮想スピーカから音声が出力されているような効果を得ることができる。
【００４０】
（５）上述した実施形態では、ＨＤＭＩ第２出力部２２４に映像及び音声を出力可能なＴＶ(２)２６が接続されている例であったが、音声信号の出力機能を有しないディスプレイやプロジェクタ等の表示装置を接続してもよい。
【００４１】
（６）上述した実施形態では、ＴＶ(１)４０及びスピーカ２４に同じコンテンツの音声信号を同時に出力する例について説明したが、ＴＶ(１)４０のみにコンテンツの映像信号及び音声信号を出力する場合においても、実施形態と同様に、ＡＶアンプ２２の再生能力情報をＥＤＩＤ記憶領域２２５ａに記憶することによりソース機器２０にＥＤＩＤを提供し、ＡＶアンプ２２の再生能力情報に応じたコンテンツの音声データをソース機器２０から受信してもよい。また、ＴＶ(１)４０のみにコンテンツを出力する場合には、記憶部２２５のＥＤＩＤ記憶領域２２５ａに記憶されているＡＶアンプ２２の音声再生能力情報を、ＴＶ(１)４０の音声再生能力情報に書き換え、ソース機器２０にＴＶ(１)４０の音声再生能力情報を提供して、ＴＶ(１)４０の音声再生能力情報に対応する音声データをソース機器２０から取得するようにしてもよい。
【００４２】
（７）また、上述した実施形態では、ソース機器２０とＡＶアンプ２２がＨＤＭＩ接続ケーブル２１を介して接続されている例であったが、ソース機器２０とＡＶアンプ２２がピンコードや光ケーブル等の接続手段を用いて接続されていてもよい。この場合には、映像音声信号処理部２２２において、ピンコードや光ケーブル等の信号をＨＤＭI出力部に接続された出力機器に出力できるように信号変換及びＡ／Ｄ変換等の処理を行う。そして、ソース機器２０からＡＶアンプ２２に入力された音声データのチャネル数と、ＡＶアンプ２２と接続された出力機器のチャネル数とを比較し、出力機器のチャネル数が入力された音声データのチャネル数より小さければ、当該出力機器のチャネル数に音声データをダウンミックスし、当該出力機器にダウンミックスした音声信号を出力する。
【００４３】
（８）また、上述した実施形態では、ＡＶアンプ２２に接続されたＨＤＭＩ接続ケーブル２３ａ及び２３ｂを介して、ＡＶアンプ２２に接続されたＴＶ(１)４０やＴＶ(２)２６の出力機器から音声再生能力情報を含むＥＤＩＤを取得する例について説明したが、例えば、ユーザ操作等によりＨＤＭＩ端子に接続された出力機器の音声再生能力情報がＡＶアンプ２２の記憶部２２５に予め記憶されていてもよい。
【符号の説明】
【００４４】
１…ＡＶシステム、２０…ソース機器、２１，２３ａ，２３ｂ…ＨＤＭＩ接続ケーブル、２２…ＡＶアンプ、２４…スピーカ、２５…アナログ音声接続ケーブル、２６…ＴＶ(２)、４０…ＴＶ(１)、２２１…ＨＤＭＩ入力部、２２２…映像音声信号処理部、２２２ａ…Ｄ／Ａ変換部、２２２ｂ…アンプ、２２３…ＨＤＭＩ第１出力部、２２４…ＨＤＭＩ第２出力部、２２５…記憶部、２２６…操作部、２２７…表示部、２２８…制御部
【図１】
0005531486.tif 000002
【図２】
0005531486.tif 000003
【図３】
0005531486.tif 000004
【図４】
0005531486.tif 000005
【図５】
0005531486.tif 000006
【図６】
0005531486.tif 000007